(57)【要約】【課題】原水の中に不純物が多い場合でも、逆洗を極めて効果的に行うことができる浄水器を提供する。【解決手段】この浄水器１は、流入口１１からの原水が流入する流入路Ｐ１１、流出口１２、１３に向けて水を流す第１及び第２の流出路Ｐ１２、Ｐ１３を有する取付本体と、第１流路Ｐ２１、第２流路Ｐ２２、第３流路Ｐ２３を有し、第１流路Ｐ２１と第２流路Ｐ２２の間に第１ろ材２４、第２流路Ｐ２２と第３流路Ｐ２３の間に第２ろ材２５が配設されて、取付本体に回動可能な状態で装着される浄水本体２０と、を備えてなり、取付本体１０と浄水本体２０が浄水モードの回動位置にあるときには、第１流路Ｐ２１が流入路Ｐ１１に、第２流路Ｐ２２が第１の流出路Ｐ１２に連通し、取付本体１０と浄水本体２０が逆洗モードの回動位置にあるときには、第３流路Ｐ２３が流入路Ｐ１１に、第１流路Ｐ２１が第２の流出路Ｐ１３に連通することにより第１ろ材２４を逆洗する。【選択図】図２
2011115739.tif 000002
【特許請求の範囲】
【請求項１】
流入口と流出口を有し、流入口からの原水が流入する流入路、流出口に向けて水を流す第１及び第２の流出路を有して、水道の水栓に取付けられる取付本体と、
第１流路、第２流路、第３流路を有し、第１流路と第２流路の間に第１ろ材、第２流路と第３流路の間に第２ろ材が配設されて、取付本体に回動可能な状態で装着される浄水本体と、を備えてなり、
取付本体と浄水本体が浄水モードの回動位置にあるときには、第１流路が流入路に、第２流路が第１の流出路に、それぞれ連通することにより、第１流路、第１ろ材、第２流路の方向に水が流れて浄水を流出口から流出させ、取付本体と浄水本体が逆洗モードの回動位置にあるときには、第３流路が流入路に、第１流路が第２の流出路にそれぞれ連通することにより、第３流路、第２ろ材、第２流路、第１ろ材、第１流路の方向に水が流れて逆洗した水を流出口から流出させることを特徴とする浄水器。
【請求項２】
請求項１に記載の浄水器において、
前記取付本体は取付用孔部が凹設してあり、
前記浄水本体は、側面に第１流路、第３流路、第２流路のそれぞれの開口部がこの順で設けられた弁部が凸設してあり、この弁部が取付用孔部に挿入されて回動可能に装着されていることを特徴とする浄水器。
【請求項３】
請求項１又は２に記載の浄水器において、
前記取付本体は第３の流出路を有し、
前記浄水本体は第４流路を有し、弁部の側面に第１流路、第３流路、第２流路、第４流路のそれぞれの開口部がこの順で設けられ、
取付本体と浄水本体が、浄水モードの回動位置に対する逆洗モードの回動位置の方向と反対方向の原水モードの回動位置にあるときには、流入路は第４流路を介して第３の流出路に連通することを特徴とする浄水器。
【請求項４】
請求項１〜３のいずれか１項に記載の浄水器において、
前記浄水本体には、第３流路の水を外部に排出可能なドレイン抜き弁が設けられていることを特徴とする浄水器。
【発明の詳細な説明】
【技術分野】
【０００１】
本発明は、水道水（原水）をろ過によって浄化し、更に、水道水（原水）を逆方向から流すことによってろ材を洗浄（逆洗）することができる浄水器に関する。
【背景技術】
【０００２】
家庭用の浄水器は、水道の水栓（蛇口）に直結し、原水をろ材によって浄化するものが広く用いられている。ろ材は、原水に含まれる無機粒子、バクテリアなどの不純物を捕捉することによって浄水を生成する。
【０００３】
浄水器は、従来より、さまざまなものが提案されており、本願出願人も、特許文献１に記載のものを基本構成として、今日まで一連の特許出願を行っている。図１２に、特許文献１に記載されたものと同様の基本構成の浄水器１０１を示す。この浄水器１０１は、水道の水栓Ｆに取り付けられる取付本体１１０と、取付本体１１０に回動可能に装着され、水道からの原水をろ過によって浄化して浄水にすることができる浄水本体１２０と、を備えてなる。取付本体１１０は、上方側に水栓Ｆが連結されて原水が流入する流入口１１１と、下方側に浄水を流出させる浄水流出口１１２と、が設けられ、流入口１１１に連通する流入路Ｐ１１１と、浄水流出口１１２に連通する浄水流出路Ｐ１１２と、が設けられている。浄水本体１２０は、ろ材１２５が詰め込まれた仕切り壁部材１２７が配設される浄水部１２０Ａと、取付本体１１０に設けられた取付用孔部１１５に挿入されて回動可能に装着される弁部１２０Ｂと、から成り、第１流路Ｐ１２１と第２流路Ｐ１２２が設けられている。
【０００４】
この浄水器１０１は、浄水流出口１１２から浄水を流出させるとき（以下、浄水モードと称する。）、取付本体１１０の流入路Ｐ１１１、浄水流出路Ｐ１１２がそれぞれ、浄水本体１２０の第１流路Ｐ１２１、第２流路Ｐ１２２に連通する。また、ろ材１２５を洗浄するときは、取付本体１１０に対して浄水本体１２０を１８０度回動させ、取付本体１１０の流入路Ｐ１１１、浄水流出路Ｐ１１２がそれぞれ、浄水本体１２０の第２流路Ｐ１２２、第１流路Ｐ１２１に連通し、浄水流出口１１２から排水を流出させる。このように、取付本体１１０に対して浄水本体１２０を回動させることによって水が流れる経路を切り換え、浄水モード時と逆方向に水を通過させてろ材１２５を洗浄することができ、その結果、浄水器１０１の浄化能力を維持することができる。なお、浄水モード時と逆方向に水を通過させてろ材を洗浄することを、以下、逆洗と称し、逆洗するときを逆洗モードと称する。
【先行技術文献】
【特許文献】
【０００５】
【特許文献１】特公平７−３６９１０号公報
【発明の概要】
【発明が解決しようとする課題】
【０００６】
しかし、水道からの原水の水質には地域間格差があり、原水によっては、ろ材を逆洗したときに、本来不純物が捕捉されていない側に不純物が捕捉されたり付着したりしてしまう場合も有り得る。特に、世界的な観点では、原水の水質の地域間格差は非常に大きい。
【０００７】
本発明は係る事由に鑑みてなされたものであり、その目的は、原水の中に不純物が多い場合でも、逆洗を極めて効果的に行うことができる浄水器を提供することにある。
【課題を解決するための手段】
【０００８】
上記目的を達成するために、請求項１に記載の浄水器は、流入口と流出口を有し、流入口からの原水が流入する流入路、流出口に向けて水を流す第１及び第２の流出路を有して、水道の水栓に取付けられる取付本体と、第１流路、第２流路、第３流路を有し、第１流路と第２流路の間に第１ろ材、第２流路と第３流路の間に第２ろ材が配設されて、取付本体に回動可能な状態で装着される浄水本体と、を備えてなり、取付本体と浄水本体が浄水モードの回動位置にあるときには、第１流路が流入路に、第２流路が第１の流出路に、それぞれ連通することにより、第１流路、第１ろ材、第２流路の方向に水が流れて浄水を流出口から流出させ、取付本体と浄水本体が逆洗モードの回動位置にあるときには、第３流路が流入路に、第１流路が第２の流出路にそれぞれ連通することにより、第３流路、第２ろ材、第２流路、第１ろ材、第１流路の方向に水が流れて逆洗した水を流出口から流出させることを特徴とする。
【０００９】
請求項２に記載の浄水器は、請求項１に記載の浄水器において、前記取付本体は取付用孔部が凹設してあり、前記浄水本体は、側面に第１流路、第３流路、第２流路のそれぞれの開口部がこの順で設けられた弁部が凸設してあり、この弁部が取付用孔部に挿入されて回動可能に装着されていることを特徴とする。
【００１０】
請求項３に記載の浄水器は、請求項１又は２に記載の浄水器において、前記取付本体は第３の流出路を有し、前記浄水本体は第４流路を有し、弁部の側面に第１流路、第３流路、第２流路、第４流路のそれぞれの開口部がこの順で設けられ、取付本体と浄水本体が、浄水モードの回動位置に対する逆洗モードの回動位置の方向と反対方向の原水モードの回動位置にあるときには、流入路は第４流路を介して第３の流出路に連通することを特徴とする。
【００１１】
請求項４に記載の浄水器は、請求項１〜３のいずれか１項に記載の浄水器において、前記浄水本体には、第３流路の水を外部に排出可能なドレイン抜き弁が設けられていることを特徴とする。
【発明の効果】
【００１２】
本発明によれば、浄水本体を取付本体に対して回動させることによって浄水器の中における水の経路が変えられ、浄水を外部に流出する浄水モードのときは、原水を第１ろ材に通して浄水にし、第１ろ材を逆洗する逆洗モードのときは、原水を第２ろ材に通して浄水にし、その浄水を浄水モードのときと逆の方向で第１ろ材に通すことによって逆洗するため、原水の中に不純物が多い場合でも、第１ろ材の逆洗を極めて効果的に行うことができる。
【図面の簡単な説明】
【００１３】
【図１】本発明の実施形態に係る浄水器１を示す斜視図であって、（ａ）は浄水モード、（ｂ）は逆洗モード、（ｃ）は原水モード、の各状態である。
【図２】同上の浄水器１の浄水モードの状態を示す正面視断面図である。
【図３】同上の浄水器１の浄水モードの状態を示す左側面視断面図であって、図２のＸ−Ｘの位置で切断したものである。
【図４】同上の浄水器１の流出口が設けられた端面の底面図である。
【図５】同上の浄水器１の浄水モードにおける弁部２０Ｂの左側面視切断部端面図であって、図２のＸ’−Ｘ’の位置で切断したものである。
【図６】同上の浄水器１の逆洗モードの状態を示す正面視断面図である。
【図７】同上の浄水器１の逆洗モードの状態を示す左側面視断面図であって、図６のＸ−Ｘの位置で切断したものである。
【図８】同上の浄水器１の逆洗モードの状態を示す左側面視断面図であって、図６のＹ−Ｙの位置で切断したものである。
【図９】同上の浄水器１の原水モードの状態を示す正面視断面図である。
【図１０】同上の浄水器１の原水モードの状態を示す左側面視断面図であって、図９のＸ−Ｘの位置で切断したものである。
【図１１】同上の浄水器１のドレイン抜き弁２８を示す拡大正面視断面図である。
【図１２】従来の浄水器１０１を示す正面視断面図である。
【発明を実施するための形態】
【００１４】
以下、本発明を実施するための好ましい形態を図面を参照しながら説明する。本発明の実施形態に係る浄水器１は、図１に示すように、水道の水栓（蛇口）Ｆに取り付けられる取付本体１０と、水道からの原水をろ過によって浄化して浄水にすることができる浄水本体２０と、を備えてなる。浄水器１は、浄水本体２０が取付本体１０に回動可能な状態で装着され、浄水本体２０の取付本体１０に対する回動位置に応じて、浄水を流出させる浄水モードと、浄水モード時に用いる後述の第１ろ材２５を逆洗する逆洗モードと、原水をそのまま流出させる原水モードと、に切り換えることができる。図１（ａ）、（ｂ）、（ｃ）はそれぞれ、浄水モード、逆洗モード、原水モードの状態を示している。
【００１５】
取付本体１０は、図２及び図３に示すように、水道の水栓Ｆに取付けられる。この実施形態では、取付本体１０は、取付カバー１０ａａとゴムパッキン材１０Ａにより水栓Ｆの端部を挟み込む（挟着する）ことにより取付けられている。取付カバー１０ａａは取付本体１０の外郭となる取付本体基部材１０ａ（例えば、プラスチック材）の分離可能な上部分であり、ゴムパッキン材１０Ａは漏水を防ぐための弾力性のあるリング状部材であって、取付本体基部材１０ａの上側中央部に嵌め込まれ、下記の流入口１１が中央に形成されている。
【００１６】
取付本体１０は、上方から原水が流入する流入口１１と、下方側に３種類の水を流出させる流出口１２，１３，１４が設けられている。すなわち、流出口１２，１３，１４は、浄水を流出させる浄水流出口１２、後述の第１ろ材２５を逆洗したときの排水を流出させる排水流出口１３、原水をそのまま流出させる原水流出口１４、である（図４参照）。この実施形態では、端面の中央に単一孔の浄水流出口１２、その周囲に原水をシャワー状態で流出するよう多数の小孔からなる原水流出口１４、その外方に単一孔の排水流出口１３、をそれぞれ設けている。
【００１７】
取付本体１０の内部には、流入口１１からの原水が流入する流入路Ｐ１１と、流出口１２，１３，１４に向けて水を流す３個の流出路Ｐ１２，Ｐ１３，Ｐ１４が互いに隔絶されて設けられている。すなわち、３個の流出路Ｐ１２，Ｐ１３，Ｐ１４は、浄水流出口１２に通ずる浄水流出路（第１の流出路）Ｐ１２、排水流出口１３に通ずる排水流出路（第２の流出路）Ｐ１３、原水流出口１４に通ずる原水流出路（第３の流出路）Ｐ１４である。なお、図２及び図３においては、原水流出路Ｐ１４の円環状に連続している下部が分離して図示されている。
【００１８】
取付本体１０には、浄水本体２０の後述する弁部２０Ｂが挿入されて回動可能に装着されるように取付用孔部１５が形成され（凹設し）てある。前述した流入路Ｐ１１の流入口１１、浄水流出路Ｐ１２の浄水流出口１２、排水流出路Ｐ１３の排水流出口１３とそれぞれ反対側の端である流入路開口１１Ａ、浄水流出路開口１２Ａ、排水流出路開口１３Ａは、取付用孔部１５を形成する内周面の同円周上に形成されている。原水流出路Ｐ１４の原水流出口１４と反対側の端である原水流出路開口１４Ａは、取付用孔部１５を形成する内周面において浄水流出路開口１２Ａよりも取付用孔部１５の底面側に形成されている。流入路開口１１Ａ、排水流出路開口１３Ａ、浄水流出路開口１２Ａは、右回り（左側面視において）にこの順となっている。漏水を防ぐために、流入路開口１１Ａ、浄水流出路開口１２Ａ、排水流出路開口１３Ａ、原水流出路開口１４Ａは、取付本体基部材１０ａの所定形状の窪み部に嵌入されたゴムパッキン材１０Ｂにより取り囲まれている。ゴムパッキン材１０Ｂは、一体のものであってもよいし、適宜分割されたものであってもよい。
【００１９】
浄水本体２０は、図２及び図３に示すように、互いに隔絶された第１流路Ｐ２１、第２流路Ｐ２２、第３流路Ｐ２３を有し、第１流路Ｐ２１と第２流路Ｐ２２の間に第１ろ材２５、第２流路Ｐ２２と第３流路Ｐ２３の間に第２ろ材２６が配設されている。浄水本体２０の、第１ろ材２５と第２ろ材２６が配設される部分が浄水部２０Ａである。また、浄水本体２０の、取付本体１０の取付用孔部１５に挿入されて回動可能な状態で装着される部分が弁部２０Ｂである。第１ろ材２５と第２ろ材２６は、特に材料は限定されないが、中空糸膜、平膜、セラミック膜、活性炭成形フィルター、積層フィルター、糸巻フィルター、金属フィルターなどのものが可能である。
【００２０】
より具体的には、浄水本体２０は、浄水部２０Ａが略円筒状であり、弁部２０Ｂが浄水部２０Ａよりも小さな略円柱状を成して、浄水部２０Ａの下底部近傍の側面から浄水部２０Ａの軸線に対し直交方向に設けられた（凸設した）外形となっている。浄水部２０Ａでは、浄水本体２０の外郭となる浄水本体基部材２０ａ（例えば、プラスチック材）は、第１ろ材２５と第２ろ材２６を含む浄水カートリッジが脱着できるように、内部が中空になっており、弁部２０Ｂの根元よりも概ね上側が分離可能な蓋部分２０ａａとなっている。浄水本体基部材２０ａにおける蓋部分２０ａａの接合部には、漏水を防ぐために、ゴムパッキン材（Ｏリング）２０Ｃが嵌め込まれている。この浄水カートリッジは、その外郭となる仕切り壁部材２７（例えば、プラスチック材）の内部に第１ろ材２５と第２ろ材２６を詰め込んだものである。
【００２１】
仕切り壁部材２７は、具体的には、略円筒状の外形である。そして、第１ろ材２５と第２ろ材２６は、仕切り壁部材２７の上底部側と下底部側に軸線方向に並べて詰め込まれており、その間に第２流路Ｐ２２が形成されている。仕切り壁部材２７と浄水本体基部材２０ａ（２０ａａを含む。）の内壁との間には、第１流路Ｐ２１が弁部２０Ｂの根元よりも概ね上側に形成されており、第２流路Ｐ２２との間の漏水を防ぐために、ゴムパッキン材（Ｏリング）２０Ｄが第１流路Ｐ２１の下方に嵌め込まれている。また、仕切り壁部材２７と浄水本体基部材２０ａの内壁との間には、第３流路Ｐ２３が弁部２０Ｂの根元よりも概ね下側に形成されており、第２流路Ｐ２２との間の漏水を防ぐために、ゴムパッキン材（Ｏリング）２０Ｅが第３流路Ｐ２３の上方に嵌め込まれている。仕切り壁部材２７には、第１流路Ｐ２１に連通する連通孔２７ａが上底部に、第３流路Ｐ２３に連通する連通孔２７ｂが下底部に、仕切り壁部材２７の外と内の第２流路Ｐ２２を連通する連通孔２７ｃが側部に形成されている。なお、浄水本体基部材２０ａの下底部に設けられているのは、ドレイン抜き弁２８である。これについては後述する。
【００２２】
弁部２０Ｂは、浄水本体基部材２０ａの内部に、第１流路Ｐ２１、第２流路Ｐ２２、第３流路Ｐ２３が浄水部２０Ａから延長されて形成され、それらの開口部である第１流路開口２１Ａ、第２流路開口２２Ａ、第３流路開口２３Ａ、がそれぞれ側面の同円周上に設けられている。また、弁部２０Ｂには、原水モード時に取付本体１０の流入路Ｐ１１と原水流出路Ｐ１４を連通させるバイパスとなる第４流路Ｐ２４が設けられており、その開口部である第１の第４流路開口２４Ａが側面の第１流路開口２１Ａ、第２流路開口２２Ａ、第３流路開口２３Ａ、と同円周上に、第２の第４流路開口２４Ｂが側面において第３流路開口２３Ａよりも弁部２０Ｂの先端面側に形成されている（図９参照）。第１流路開口Ｐ２１Ａ、第３流路開口２３Ａ、第２流路開口２２Ａ、第１の第４流路開口２４Ａは、左回り（左側面視において）にこの順となっている。
【００２３】
この実施形態では、第１流路Ｐ２１は、弁部２０Ｂの根元の上部から軸線方向に伸び、上側に屈曲し、その先で第１流路開口２１Ａに通じている。第２流路Ｐ２２は、弁部２０Ｂの根元の中心部から軸線方向に伸び、第１流路Ｐ２１と同じ軸線方向位置でそれと反対方向である下側に屈曲し、その先で第２流路開口２２Ａに通じている。第３流路Ｐ２３は、弁部２０Ｂの根元の下部から軸線方向に伸びるとともに周方向に拡大され、その背部側に拡大された部分が更に軸線方向に伸び、第１流路Ｐ２１及び第２流路Ｐ２２と同じ軸線方向位置で、それらと直交方向に屈曲し、その先で第３流路開口２３Ａに通じている。すなわち、第３流路Ｐ２３は、図２のＸ’−Ｘ’の位置では図５に示すように、下部側から背部側にかけて形成されており、第３流路開口２３Ａ近傍では図３に示すように、背部側だけに形成されていることになる。第４流路Ｐ２４は、第１流路Ｐ２１、第２流路Ｐ２２、第３流路Ｐ２３よりも弁部２０Ｂの先端面側に形成されている。なお、弁部２０Ｂの先端面には、取付用孔部１５の底面の中央に設けられた窪みに緩く嵌合する位置合わせのための突出部が設けられている。
【００２４】
浄水器１は、浄水本体２０の取付本体１０に対する回動位置に応じて、浄水本体２０の第１流路Ｐ２１、第２流路Ｐ２２、第３流路Ｐ２３と流入路Ｐ１１、浄水流出路Ｐ１２、排水流出路Ｐ１３、原水流出路Ｐ１４の連通関係が変わる。これまで説明に用いてきた図２及び図３は、取付本体１０と浄水本体２０が浄水モードの回動位置にあるものである。この場合、第１流路開口２１Ａが流入路開口１１Ａに、第２流路開口２２Ａが浄水流出路開口１２Ａに、それぞれ相対することにより、第１流路Ｐ２１が流入路Ｐ１１に、第２流路Ｐ２２が浄水流出路Ｐ１２に、それぞれ連通する。この浄水モードでは、原水は、流入口１１から、流入路Ｐ１１、第１流路Ｐ２１、仕切り壁部材２７の連通孔２７ａを通過して、第１ろ材２５でろ過されて浄水となり、浄水は仕切り壁部材２７の連通孔２７ｃ、第２流路Ｐ２２、浄水流出路Ｐ１２を通過して、浄水流出口１２から流出する。このとき、原水に含まれる不純物は、第１ろ材２５の第１流路Ｐ２１側に捕捉されて蓄積される。なお、第３流路Ｐ２３は他に連通せず、第４流路Ｐ２４と排水流出路Ｐ１３は連通しているがその他には連通せず、原水流出路Ｐ１４は他に連通せず、従って、それらは水が通過しない（流れない）状態になっている。また、エアーが排水流出路Ｐ１３又は原水流出路Ｐ１４から侵入しても、途中で遮断されるので、浄水モードの動作に影響を与えない。
【００２５】
図６及び図７は、取付本体１０と浄水本体２０が逆洗モードの回動位置にある場合のものである。この場合、第３流路開口２３Ａが流入路開口１１Ａに、第１流路開口２１Ａが排水流出路開口１３Ａに、それぞれ相対することにより、第３流路Ｐ２３が流入路Ｐ１１に、第１流路Ｐ２１が排水流出路Ｐ１３に、それぞれ連通する。この逆洗モードでは、原水は、流入口１１から、流入路Ｐ１１、第３流路Ｐ２３を通過する。そして、図８の破線に示すように、浄水部２０Ａの第３流路Ｐ２３から仕切り壁部材２７の連通孔２７ｂを通過して、第２ろ材２６でろ過され浄水となり、その浄水は第１ろ材２５を浄水モード時と逆方向に通過して第１ろ材２５に蓄積された不純物を含む水、すなわち排水となり、排水は仕切り壁部材２７の連通孔２７ａ、第１流路Ｐ２１を通過する。そして、弁部２０Ｂの第１流路Ｐ２１から排水流出路Ｐ１３を通過して、排水流出口１３から流出する。従って、第１ろ材２５と第２ろ材２６の間に設けられている第２流路Ｐ２２は、浄水が横断して流れるので、原水に含まれる不純物が付着したり第１ろ材２５の第２流路Ｐ２２側に捕捉されたりすることはない。従って、原水の中に不純物が多い場合でも、第１ろ材２５の逆洗を極めて効果的に行うことができる。しかも、構造が複雑なものではない。なお、第２流路Ｐ２２は他に連通せず、第４流路Ｐ２４と浄水流出路Ｐ１２は連通しているがその他には連通せず、原水流出路Ｐ１４は他に連通せず、従って、それらは水が通過しない（流れない）状態になっている。
【００２６】
図９及び図１０は、取付本体１０と浄水本体２０が原水モードの回動位置にある場合のものである。この原水モードでは、第１の第４流路開口２４Ａが流入路開口１１Ａに、第２の第４流路開口２４Ｂが原水流出路開口１４Ａに、それぞれ相対することにより、流入路Ｐ１１は第４流路Ｐ２４を介して原水流出路Ｐ１４に直接連通する。そして、原水モードの回動位置は、浄水モードの回動位置に対する逆洗モードの回動位置の方向と反対方向にある。この実施形態では、浄水モードの回動位置に対して右回り９０度（左側面視において）が逆洗モードの回動位置であり、浄水モードの回動位置に対して左回り９０度（左側面視において）が原水モードの回動位置である。なお、具体的な角度間隔は、９０度に限らず、１８０度よりも小さい範囲で仕様に合わせて決めることができる。原水モード時には、原水は、流入口１１から第４流路Ｐ２４、原水流出路Ｐ１４を通過して、原水流出口１４から流出する。なお、第１流路Ｐ２１は他に連通せず、第２流路Ｐ２２と排水流出路Ｐ１３は連通しているがその他には連通せず、第３流路Ｐ２３と浄水流出路Ｐ１２は連通しているがその他には連通せず、従って、それらは水が通過しない（流れない）状態になっている。
【００２７】
このようにして、浄水本体２０を取付本体１０に対して回動させることによって、浄水モード、逆洗モード、原水モードを切り換える。ここで、第３流路Ｐ２３は、どのモードにおいてもその中に溜まった水が外部に流出するようなものではないので、第３流路Ｐ２３の水を外部に排出可能なドレイン抜き弁（水抜き弁）２８（図２参照）を設け、定期的（例えば数カ月ごと）に第３流路Ｐ２３に溜まっている水を抜くのが好ましい。ドレイン抜き弁２８は、例えば、図１１に示すように、軸部２８ａが浄水本体基部材２０ａに形成された貫通孔の中に隙間を有して挿通しており、軸部２８ａの両端には所定の形状（有底略円筒形状と略半球形状）で軸部２８ａよりも大径の端部２８ｂ、２８ｃが設けられ、外部側の端部２８ｂと浄水本体基部材２０ａとの間には軸部２８ａを巻いたスプリング２８ｄが、第３流路Ｐ２３側の端部２８ｃと浄水本体基部材２０ａとの間にはゴムパッキン材２８ｅが設けられている。外部側の端部２８ｂを押すことにより、軸部２８ａの周囲の隙間に沿って第３流路Ｐ２３からの水が排出される。
【００２８】
以上、本発明の実施形態に係る浄水器１について説明したが、本発明は、上述の実施形態に記載したものに限られることなく、特許請求の範囲に記載した事項の範囲内でのさまざまな設計変更が可能である。例えば、流入路開口１１Ａ、排水流出路開口１３Ａ、浄水流出路開口１２Ａの配置をこの順に左回り（左側面視において）にし、第１流路開口Ｐ２１Ａ、第３流路開口２３Ａ、第２流路開口２２Ａ、第１の第４流路開口２４Ａの配置をこの順に右回り（左側面視において）にすることで、逆洗モード、原水モードの回動方向を入れかえることも可能である。また、原水モードにおいてシャワー状態で流出しないように原水流出口１４を単一孔としてもよい。また、浄水器の仕様によっては、原水モードを設けず、原水流出口１４、原水流出路（第３の流出路）Ｐ１４、第４流路Ｐ２４を省略することも可能である。また、浄水流出路（第１の流出路）Ｐ１２に不純物が付着する可能性が大きくなる点においては好ましくはないが、場合によっては、排水流出路（第２の流出路）Ｐ１３を浄水流出路Ｐ１２に接続して、排水流出口１３を省略するようにすることも可能である。
【符号の説明】
【００２９】
１      浄水器
１０    取付本体
１１    流入口
１２    浄水流出口
１３    排水流出口
１４    原水流出口
２０    浄水本体
２４    第１ろ材
２５    第２ろ材
Ｐ１１  流入路
Ｐ１２  浄水流出路（第１の流出路）
Ｐ１３  排水流出路（第２の流出路）
Ｐ１４  原水流出路（第３の流出路）
Ｐ２１  第１流路
Ｐ２２  第２流路
Ｐ２３  第３流路
Ｐ２４  第４流路
【図１】
2011115739.tif 000003
【図２】
2011115739.tif 000004
【図３】
2011115739.tif 000005
【図４】
2011115739.tif 000006
【図５】
2011115739.tif 000007
【図６】
2011115739.tif 000008
【図７】
2011115739.tif 000009
【図８】
2011115739.tif 000010
【図９】
2011115739.tif 000011
【図１０】
2011115739.tif 000012
【図１１】
2011115739.tif 000013
【図１２】
2011115739.tif 000014